(57)【要約】【課題】コスト増を抑制しながらユーザの生活習慣病に対する状態ステージを推定し、推定した状態ステージを含むヘルスケア情報を作成してユーザに提供することを可能にする。【解決手段】センサ端末３により計測されたユーザのバイタル情報変化と過去患者状態ステージ情報ＤＢ２３に保存された複数の患者のバイタル情報変化とを比較して該ユーザの前記生活習慣病に対する状態ステージレベルを判定する状態ステージレベル判定部２３と、複数の状態ステージレベル毎に予め用意された該複数の状態ステージレベル毎のヘルスケアアドバイスを表す複数の標準コメントデータの中から、判定されたユーザの状態ステージレベル対応する標準ヘルスケアアドバイスデータを選択し、選択した標準コメントデータを用いてヘルスケア情報としてのレポート情報を作成するレポート情報作成部２５と、を備えている。【選択図】  図１
2005287837.tif 000002
【特許請求の範囲】
【請求項１】
正常時を含む複数段階の病状変化を表す複数の状態ステージレベルが予め定められた生活習慣病に対するヘルスケア情報を提供するためのヘルスケア情報提供システムであって、
センサ端末により計測されたユーザのバイタル情報変化を保存するバイタル情報保存手段と、
複数の被計測者から予め取得された該複数の被計測者それぞれのバイタル情報の変化と該バイタル情報変化に対応する前記生活習慣病の状態を表す状態ステージレベルとを互いに関連付けて保存する過去バイタル情報保存手段と、
前記ユーザのバイタル情報変化と前記過去バイタル情報保存手段に保存された複数の被計測者のバイタル情報変化とを比較して該ユーザの前記生活習慣病に対する状態ステージレベルを判定する状態ステージレベル判定手段と、
複数の状態ステージレベル毎に予め用意された該複数の状態ステージレベル毎のヘルスケアアドバイスを表す複数の標準コメントデータの中から、判定されたユーザの状態ステージレベル対応する標準ヘルスケアアドバイスデータを選択し、選択した標準コメントデータを用いて前記ヘルスケア情報を作成するヘルスケア情報作成手段と、
を備えたことを特徴とするヘルスケア情報提供システム。
【請求項２】
前記過去バイタル情報保存手段は、前記複数の被計測者それぞれの身体の特徴を表す身体情報と前記複数の被計測者のバイタル情報変化と対応する状態ステージレベルとを互いに関連付けて保存する手段であり、
前記ユーザの身体の特徴を表す身体情報を保存する身体情報保存手段を備え、
前記状態ステージレベル作成手段は、前記ユーザの身体情報を前記身体情報保存手段から読み出す手段と、読み出した身体情報に類似する身体情報を有する複数の一人の被計測者のバイタル情報変化および対応する状態ステージレベルを前記過去バイタル情報保存手段から読み出す手段と、読み出した複数の被計測者のバイタル情報変化と前記ユーザのバイタル情報変化とを比較して最も整合する被計測者のバイタル情報変化および対応する状態ステージレベルを抽出する手段と、抽出した被計測者のバイタル情報変化および対応する状態ステージレベルに基づいて前記ユーザの状態ステージレベルを判定する手段と、を備えたことを特徴とする請求項１記載のヘルスケア情報提供システム。
【請求項３】
前記ヘルスケア情報提供システムは、通信ネットワークを介して前記生活習慣病の専門家が利用可能な専門家端末および前記ユーザが利用可能なユーザ端末にそれぞれ通信可能になっており、
前記複数の状態ステージレベル毎に予め定められており、対応する状態ステージレベルに適した少なくとも１つの推奨行動プランを表す行動プラン情報を保存する行動プラン情報保存手段を備え、
前記ヘルスケア情報作成手段は、前記複数の標準コメントデータを含み、前記ヘルスケア情報の前記専門家側端末およびユーザ端末での出力時の基準フォーマットを表す基準フォーマットデータを保存する手段と、
前記判定されたユーザの状態ステージレベルに対応する少なくとも１つの推奨行動プラン情報を前記行動プラン情報保存手段から読み出す手段と、
前記ユーザのバイタル情報変化、前記判定したユーザの状態ステージレベル、前記選択した標準ヘルスケアアドバイスデータ、前記読み出した少なくとも１つの推奨行動プラン情報を前記基準フォーマットデータ上にレイアウトし、かつ前記専門家端末によりテキスト形式のコメント情報を入力可能な専門家コメントエリアを形成して前記ヘルスケア情報としてのヘルスケア画面データを作成する手段と、
作成したヘルスケア画面データを前記通信ネットワークを介して前記専門家端末に送信する手段と、
前記専門家端末から前記通信ネットワークを介して送信されてきた、前記専門家コメントエリアに入力されたコメント情報を含むヘルスケア画面データを受信し、受信したヘルスケア画面データを前記通信ネットワークを介して前記ユーザ端末に送信する手段と、
を備えたことを特徴とする請求項２記載のヘルスケア情報提供システム。
【請求項４】
前記ユーザのバイタル情報変化および前記少なくとも１つの推奨行動プラン情報に基づいて前記ユーザが所定期間経過後にどの状態ステージレベルに属しているかを推定する手段を備え、
前記ヘルスケア画面データ作成手段は、前記ユーザの状態ステージレベル、前記標準ヘルスケアアドバイスデータ、および前記少なくとも１つの推奨行動プラン情報に加えて、前記推定された状態ステージレベルを前記基準フォーマットデータ上にレイアウトする手段を含む請求項３記載のヘルスケア情報提供システム。
【請求項５】
前記ヘルスケア情報提供システムは、専用線を介して複数の医療施設に設置された複数の端末に通信可能になっており、
前記過去バイタル情報保存手段は、前記複数の端末から前記専用線を介してアクセス可能になっていることを特徴とする請求項１乃至４の内の何れか１項記載のヘルスケア情報提供システム。
【請求項６】
正常時を含む複数段階の病状変化を表す複数の状態ステージレベルが予め定められた糖尿病に対するヘルスケア情報を提供するためのヘルスケア情報提供システムであって、
センサ端末により計測されたユーザの血糖値上昇パターンを表す血糖値情報を保存する血糖値情報保存手段と、
複数の患者から予め取得された該複数の患者それぞれの血糖値上昇パターンと該血糖値上昇パターンに対応する前記糖尿病の状態を表す状態ステージレベルとを互いに関連付けて保存する過去血糖値上昇パターン保存手段と、
前記ユーザの血糖値情報と前記過去血糖値情報保存手段に保存された複数の患者の血糖値上昇パターンとを比較して該ユーザの前記糖尿病に対する状態ステージレベルを判定する状態ステージレベル判定手段と、
複数の状態ステージレベル毎に予め用意された該複数の状態ステージレベル毎のヘルスケアアドバイスを表す複数の標準コメントデータの中から、判定されたユーザの状態ステージレベル対応する標準ヘルスケアアドバイスデータを選択し、選択した標準コメントデータを用いて前記ヘルスケア情報を作成するヘルスケア情報作成手段と、
を備えたことを特徴とするヘルスケア情報提供システム。
【請求項７】
正常時を含む複数段階の病状変化を表す複数の状態ステージレベルが予め定められた生活習慣病に対するヘルスケア情報を提供するための処理を実行するためのコンピュータを有し、このコンピュータの少なくとも１つのメモリには、センサ端末により計測された前記ユーザのバイタル情報変化、および前記複数の被計測者から予め取得された該複数の被計測者それぞれのバイタル情報の変化と該バイタル情報変化に対応する前記生活習慣病の状態を表す状態ステージレベルとが互いに対応付けられた被計測者バイタル情報がそれぞれ保存されているシステムにおける前記コンピュータが実行可能なヘルスケア情報提供プログラムであって、
前記コンピュータを、
前記少なくとも１つのメモリに保存された前記ユーザのバイタル情報変化と前記複数の被計測者のバイタル情報変化とを比較して該ユーザの前記生活習慣病に対する状態ステージレベルを判定する処理と、
前記複数の状態ステージレベル毎に予め用意された該複数の状態ステージレベル毎のヘルスケアアドバイスを表す複数の標準コメントデータの中から、判定されたユーザの状態ステージレベル対応する標準ヘルスケアアドバイスデータを選択し、選択した標準コメントデータを用いて前記ヘルスケア情報を作成する処理と、
をそれぞれ実行させることを特徴とするヘルスケア情報提供プログラム。
【請求項８】
正常時を含む複数段階の病状変化を表す複数の状態ステージレベルが予め定められた生活習慣病に対するヘルスケア情報を提供するためのヘルスケア情報提供方法であって、
センサ端末により計測されたユーザのバイタル情報変化を保存するステップと、
複数の被計測者から予め取得された該複数の被計測者それぞれのバイタル情報の変化と該バイタル情報変化に対応する前記生活習慣病の状態を表す状態ステージレベルとを互いに関連付けて保存するステップと、
前記ユーザのバイタル情報変化と前記バイタル情報変化保存ステップにより保存された複数の被計測者のバイタル情報変化とを比較して該ユーザの前記生活習慣病に対する状態ステージレベルを判定するステップと、
複数の状態ステージレベル毎に予め用意された該複数の状態ステージレベル毎のヘルスケアアドバイスを表す複数の標準コメントデータの中から、判定されたユーザの状態ステージレベル対応する標準ヘルスケアアドバイスデータを選択し、選択した標準コメントデータを用いて前記ヘルスケア情報を作成するヘルスケア情報作成ステップと、
を備えたことを特徴とするヘルスケア情報提供方法。
【発明の詳細な説明】
【技術分野】
【０００１】
本発明は、ユーザに装着されたバイタル情報取得端末により取得され、ネットワークを介して送信されてきたユーザのバイタル情報を用いて、そのバイタル情報に対応するヘルスケア情報（健康管理情報）をユーザに対して提供するためのヘルスケア情報提供方法およびシステム、ならびにヘルスケア情報提供プログラムに関する。なお、バイタル情報とは、ユーザの生命活動により得られるユーザの健康状態を表す情報であり、例えば、体重、脂肪率、血圧、心電図、尿酸値等の尿検査により得られるデータ、および血糖値等の血液分析により得られるデータ等が含まれる。
【背景技術】
【０００２】
近年、人々の健康維持および管理に対する関心は高まる一方であり、自らの健康状態を日常的に把握して、例えば、高血圧症、高脂血症、糖尿病等の生活習慣病を未然に防止したいという要望も強かった。
【０００３】
そこで、このような関心および要望に応えるために、例えば特許文献１に開示された発明が提案されている。この発明に係わる健康管理システムによれば、個々のユーザのバイタル情報を健康管理センタにより一括管理することにより、各ユーザは、自らのバイタル情報の経年変化等を、健康管理センタを介して閲覧することが可能になり、ユーザ自らの健康管理をサポートすることができる。
【０００４】
また、特許文献２に開示された発明に係わる健康管理システムによれば、患者自身により計測された自らの血糖値を表す血糖値データが携帯電話番号と共に病院のコンピュータに送信され、医師、栄養士等の専門家により、病院側コンピュータを介して、患者の血糖値データに対応する状態ステージを表す情報、およびその状態ステージに対応する処方を含むヘルスケア情報が対応する携帯電話番号に対して送信される。
【０００５】
なお、状態ステージとは、バイタルデータにより推定できる生活習慣病の病状の変化の段階（正常時を含む）を表す情報であり、その病状毎に例えば複数の段階（レベル）として定められている。
【０００６】
例えば、血糖値データがバイタルデータとして計測された場合には、糖尿病の状態ステージを表す情報を作成することができる。
【０００７】
この結果、ユーザは、送信されたヘルスケア情報に基づいて生活を改善することにより、自身に対する糖尿病の発生を予防、あるいは現在糖尿病を患っている場合には、その糖尿病を治癒するために好ましい生活習慣を容易に実践することができる。
【特許文献１】特開２００２−５６０９９号公報
【特許文献２】特開２００３−１８０６３７号公報
【発明の開示】
【発明が解決しようとする課題】
【０００８】
特許文献１に開示された健康管理システムでは、各ユーザの現在までのバイタル情報の経年変化等、バイタル情報自体を加工した情報に関しては、健康管理センタ側で各ユーザに提供することができる。
【０００９】
しかしながら、各ユーザのバイタル情報に基づいて各ユーザの状態ステージを推定し、その各ユーザの状態ステージを含む情報を各ユーザにヘルスケア情報として提供するためには、その都度、ユーザ毎に医師等の専門家に依頼してヘルスケア情報を作成しなければならなかった。
【００１０】
このため、専門家にかかる人的コストが増大し、その結果、健康管理システムを利用するユーザの利用料も増大する恐れが生じ、コスト的に実用的なシステムとはいえなかった。
【００１１】
また、特許文献２に開示された健康管理システムにおいても、特許文献１に開示された健康管理システムと同様に、各ユーザに対して、そのユーザの血糖値データに応じた糖尿病状態ステージを含む処方情報を提供するためには、ユーザ毎に、対応するユーザの血糖値データに応じたヘルスケア情報の作成を依頼しなければならず、健康管理システムのコストを増大させる恐れが生じていた。
【００１２】
さらに、特許文献１および２にそれぞれ開示された健康管理システムにおいては、ユーザ毎の血糖値データ等のバイタル情報に基づいて、ユーザ毎に個別にその状態ステージを含むヘルスケア情報を作成しているため、専門家により各ユーザのバイタル情報を詳細に診断するまでは、各ユーザの状態ステージを含む具体的なヘルスケア情報を作成することが困難であった。このため、専門家の診断時間が増大してさらにコスト増を招いていた。
【００１３】
本発明は、上述した事情に鑑みてなされたもので、コスト増を抑制しながらユーザの生活習慣病に対する状態ステージを推定し、推定した状態ステージを含むヘルスケア情報を作成してユーザに提供することを可能にしたヘルスケア情報提供方法およびシステム、ならびにヘルスケア情報提供プログラムを提供することをその目的とする。
【課題を解決するための手段】
【００１４】
上述した目的を達成するため、本発明の第１の態様は、正常時を含む複数段階の病状変化を表す複数の状態ステージレベルが予め定められた生活習慣病に対するヘルスケア情報を提供するためのヘルスケア情報提供システムであって、センサ端末により計測されたユーザのバイタル情報変化を保存するバイタル情報保存手段と、複数の被計測者から予め取得された該複数の被計測者それぞれのバイタル情報の変化と該バイタル情報変化に対応する前記生活習慣病の状態を表す状態ステージレベルとを互いに関連付けて保存する過去バイタル情報保存手段と、前記ユーザのバイタル情報変化と前記過去バイタル情報保存手段に保存された複数の被計測者のバイタル情報変化とを比較して該ユーザの前記生活習慣病に対する状態ステージレベルを判定する状態ステージレベル判定手段と、複数の状態ステージレベル毎に予め用意された該複数の状態ステージレベル毎のヘルスケアアドバイスを表す複数の標準コメントデータの中から、判定されたユーザの状態ステージレベル対応する標準ヘルスケアアドバイスデータを選択し、選択した標準コメントデータを用いて前記ヘルスケア情報を作成するヘルスケア情報作成手段と、を備えている。
【００１５】
また、上記目的を達成するため、本発明の第２の態様によれば、正常時を含む複数段階の病状変化を表す複数の状態ステージレベルが予め定められた糖尿病に対するヘルスケア情報を提供するためのヘルスケア情報提供システムであって、センサ端末により計測されたユーザの血糖値上昇パターンを表す血糖値情報を保存する血糖値情報保存手段と、複数の患者から予め取得された該複数の患者それぞれの血糖値上昇パターンと該血糖値上昇パターンに対応する前記糖尿病の状態を表す状態ステージレベルとを互いに関連付けて保存する過去血糖値上昇パターン保存手段と、前記ユーザの血糖値情報と前記過去血糖値情報保存手段に保存された複数の患者の血糖値上昇パターンとを比較して該ユーザの前記糖尿病に対する状態ステージレベルを判定する状態ステージレベル判定手段と、複数の状態ステージレベル毎に予め用意された該複数の状態ステージレベル毎のヘルスケアアドバイスを表す複数の標準コメントデータの中から、判定されたユーザの状態ステージレベル対応する標準ヘルスケアアドバイスデータを選択し、選択した標準コメントデータを用いて前記ヘルスケア情報を作成するヘルスケア情報作成手段と、を備えている。
【００１６】
さらに、上記目的を達成するため、本発明の第３の態様によれば、正常時を含む複数段階の病状変化を表す複数の状態ステージレベルが予め定められた生活習慣病に対するヘルスケア情報を提供するための処理を実行するためのコンピュータを有し、このコンピュータの少なくとも１つのメモリには、センサ端末により計測された前記ユーザのバイタル情報変化、および前記複数の被計測者から予め取得された該複数の被計測者それぞれのバイタル情報の変化と該バイタル情報変化に対応する前記生活習慣病の状態を表す状態ステージレベルとが互いに対応付けられた被計測者バイタル情報がそれぞれ保存されているシステムにおける前記コンピュータが実行可能なヘルスケア情報提供プログラムであって、前記コンピュータを、前記少なくとも１つのメモリに保存された前記ユーザのバイタル情報変化と前記複数の被計測者のバイタル情報変化とを比較して該ユーザの前記生活習慣病に対する状態ステージレベルを判定する処理と、前記複数の状態ステージレベル毎に予め用意された該複数の状態ステージレベル毎のヘルスケアアドバイスを表す複数の標準コメントデータの中から、判定されたユーザの状態ステージレベル対応する標準ヘルスケアアドバイスデータを選択し、選択した標準コメントデータを用いて前記ヘルスケア情報を作成する処理と、をそれぞれ実行させる。
【００１７】
そして、上記目的を達成するため、本発明の第４の態様によれば、正常時を含む複数段階の病状変化を表す複数の状態ステージレベルが予め定められた生活習慣病に対するヘルスケア情報を提供するためのヘルスケア情報提供方法であって、センサ端末により計測されたユーザのバイタル情報変化を保存するステップと、複数の被計測者から予め取得された該複数の被計測者それぞれのバイタル情報の変化と該バイタル情報変化に対応する前記生活習慣病の状態を表す状態ステージレベルとを互いに関連付けて保存するステップと、前記ユーザのバイタル情報変化と前記バイタル情報変化保存ステップにより保存された複数の被計測者のバイタル情報変化とを比較して該ユーザの前記生活習慣病に対する状態ステージレベルを判定するステップと、複数の状態ステージレベル毎に予め用意された該複数の状態ステージレベル毎のヘルスケアアドバイスを表す複数の標準コメントデータの中から、判定されたユーザの状態ステージレベル対応する標準ヘルスケアアドバイスデータを選択し、選択した標準コメントデータを用いて前記ヘルスケア情報を作成するヘルスケア情報作成ステップと、を備えている。
【発明の効果】
【００１８】
本発明によれば、ユーザから計測されたバイタル情報変化と複数の被計測者から予め取得された該複数の被計測者それぞれのバイタル情報の変化および対応する状態ステージレベルとをそれぞれ比較することにより、ユーザの状態ステージレベルを自動的、すなわち、専門家の分析作業を介することなく推定し、推定した状態ステージレベルに対応するヘルスケアアドバイスを用いて、推定した状態ステージレベルを含むヘルスケア情報をユーザに対して提供することができる。
【００１９】
この結果、専門家のバイタル情報変化分析作業に伴う人的コストを低減してユーザのヘルスケア情報提供システムの利用料を低く維持することができ、ヘルスケア情報提供システムの実用性を向上させることができる
【発明を実施するための最良の形態】
【００２０】
以下、本発明の実施の形態に係るヘルスケア情報提供方法およびシステム、ならびにヘルスケア情報提供プログラムについて図面を参照して説明する。
【００２１】
なお、本実施形態では、ユーザの血糖値（単位：mg/dl）の上昇パターンを表す血糖値情報（血糖値パターン情報）をバイタル情報として用いて、ユーザの糖尿病に関するヘルスケア情報を提供するためのヘルスケア情報提供方法およびシステム、ならびにヘルスケア情報提供プログラムを一例として説明する。
【００２２】
図１は、本発明の実施の形態に係るヘルスケア情報提供システム１の概略構成を示す図である。
【００２３】
ヘルスケア情報提供システム１は、このヘルスケア情報提供システム１の利用登録を予め行った患者、被保険者等のユーザに装着された血糖値情報センサ端末３およびそのユーザが利用可能なユーザ端末５に対し、インターネット等の通信ネットワーク７を介して通信可能になっている。
【００２４】
また、ヘルスケア情報提供システム１は、予め提携されている医師、栄養士、医療コンサルティング等の専門家が利用可能な専門家端末９に対して通信ネットワーク７を介して通信可能になっている。
【００２５】
すなわち、ヘルスケア情報提供システム１は、このシステム１の利用登録が予め行われた各ユーザ自体の特徴を表すユーザ情報を予め保存するユーザデータベース（ＤＢ）１１を備えている。
【００２６】
このユーザＤＢ１１には、氏名、ユニークな識別情報（ＩＤ）、利用可能なユーザ端末のＩＤ、メールアドレス等のユーザ固有情報と、各ユーザの年齢、性別、身長、体重、遺伝子情報（スニップ、SNP: Single Nucleotide Polymorphism）等の身体の特徴を表す情報（身体情報）とがユーザＩＤをキーとして互いに関連付けられて保存されている。
【００２７】
また、ヘルスケア情報提供システム１は、通信ネットワーク７を経由した情報通信機能を有し、血糖値情報センタ端末３から通信ネットワーク７を介して送信されてきた血糖値情報を受信して受け付け処理するセンサ端末情報受付部１３と、このセンサ端末情報受付部１５により受け付け処理された血糖値情報をユーザ（ユーザＩＤ）毎および受け付け年月日毎に分類して保存する血糖値情報ＤＢ１５とを備えている。
【００２８】
さらに、ヘルスケア情報提供システム１は、複数の医療施設の過去の所定のサンプル数の糖尿病患者それぞれについて、その身体情報、その血糖値データの上昇パターン（状態レベル推移に対応するパターン推移を含む）、および血糖値データの上昇パターン（変化）に応じて推移する状態ステージレベルを表す過去血糖値パターン情報が互いに関連付けられて保存された過去患者状態ステージ情報ＤＢ１７を備えている。
【００２９】
この過去患者状態ステージ情報ＤＢ１７は、例えば図２に示すように、複数の医療施設それぞれの端末（コンピュータ）Ｔ１〜Ｔｎに設置された共通のプラットフォームＰにより専用線ＳＮを介してアクセスして、糖尿病患者の過去血糖値パターン情報を新たに保存したり、読み出したりすることが可能になっている。
【００３０】
本実施形態において、糖尿病の状態ステージのレベルは、例えば６段階（レベル１〜レベル６）に設定されており、レベル１：何ら異常を認めない健康な状態、レベル２：免疫異常の引き金となるイベントが発生した状態、レベル３：免疫異常の活動状態、レベル４：インスリン分泌が減少している状態、レベル５：インスリン分泌能が残存している糖尿病状態、レベル６：膵β細胞が破壊された状態、としてそれぞれ定められている。
【００３１】
ヘルスケア情報提供システム１は、ユーザに対するヘルスケア情報であるレポート情報の基準となるレポートフォーマットデータであり、レポート情報の出力フォーマット（端末側で出力される際のフォーマット（レイアウト、書式等を含む）を表す基準レポートフォーマットデータを保存する基準レポートテーブル１９と、上述した糖尿病の状態ステージのレベル毎に予め作成され、対応するレベルに適した少なくとも１つの推奨行動プラン｛運動（例えば一週間毎の内容、回数）、食事（例えば１日毎のメニュー）、睡眠時間、投薬（１日あたりの回数、時期等）等｝を表す行動プラン情報を保存する行動プラン情報ＤＢ２１とを備えている。
【００３２】
この行動プラン情報には、少なくとも１つの推奨行動プランを実際に実践した複数の患者の状態ステージレベルの推移、すなわち、推奨行動プランを実践した場合の成果を表す情報がサマリー情報として含まれている。
【００３３】
基準レポートテーブル１９の基準レポートデータには、糖尿病の状態ステージのレベル毎に予め作成され、対応するレベルに適した生活上のアドバイス（ヘルスケアアドバイス、コメント）を表すテキストデータが標準コメントデータとして含まれている。
【００３４】
また、本実施形態における基準レポートデータは、レポート情報をページ画面（ＷＷＷ画面、メール画面等）として表すためのフォーマットデータである。
【００３５】
そして、ヘルスケア情報提供システム１は、ユーザＤＢ１１に保存された対応するユーザのユーザ情報、血糖値情報ＤＢ１５に保存された血糖値情報、過去患者状態ステージ情報ＤＢ１７に保存された過去患者の過去血糖値パターン情報、およびその状態ステージレベルに基づいて、ユーザの現在の状態ステージレベルを判定する状態ステージレベル判定部２３を備えている。
【００３６】
また、ヘルスケア情報提供システム１は、ユーザＤＢ１１に保存された対応するユーザのユーザ情報、血糖値情報ＤＢ１５に保存された血糖値情報、過去患者状態ステージ情報ＤＢ１７に保存された過去患者の過去血糖値パターン情報とその状態ステージレベル、および基準レポートテーブル１９に保存された基準レポートデータに基づいて、ユーザの糖尿病に対するレポート情報を作成するレポート情報作成部２５を備えている。
【００３７】
図１に示すヘルスケア情報システム１は、例えば少なくとも１台のコンピュータにより構築可能であり、センサ端末情報受付部１３、状態ステージレベル判定部２３およびレポート情報作成部２５は、その少なくとも１台のコンピュータのメモリに記憶されたプログラム群、すなわち、基本動作プログラムであるＯＳ（Operating Systems）、ＷＷＷ（World Wide Web）コンテンツ生成用プログラムであるＷＷＷサーバ、通信ネットワーク７を介して送受信できる電子メールの作成・送受信用プログラムであるソフトウェア（メーラ）、および本実施形態に係わるヘルスケア情報提供プログラムに従って動作するＣＰＵの機能として具体的に実現可能である。
【００３８】
一方、ユーザ側における血糖値情報センサ端末３は、ユーザの身体に装着可能な血糖値検出部を有し、その血糖値検出部がユーザの身体に装着された状態でユーザの血糖値の変化をモニタリングする機能、およびモニタリングした血糖値変化を、絶対値情報や血糖値変化パターンを表すパターン情報等の血糖値情報として通信ネットワーク７を介して出力する通信機能をそれぞれ有する端末である。この血糖値情報センサ端末３は、例えば実際に身体の腕に装着できる腕時計形状を有する腕時計タイプや、通信機能を有する携帯型の本体とこの本体に例えば着脱可能な身体装着用の装着部とを備えた携帯タイプ等がある。
【００３９】
この血糖値情報センサ端末３は、ユーザが所有していてもよく、また、公共施設、医療施設等に予め設置されていてもよい。
【００４０】
また、ユーザ側におけるユーザ端末５は、通信ネットワーク７を介して送信されてくるコンテンツ、例えばインターネットを介して送信されてくるＷＷＷコンテンツを閲覧かつ動的処理を要求できるソフトウェア（ＷＷＷブラウザ等）、および／または通信ネットワーク７を介して送受信できる電子メールの作成・送受信用ソフトウェア（メーラ）を搭載したコンピュータ端末（携帯型、デスクトップ型等）である。
【００４１】
具体的には、ユーザ端末５は、上記ソフトウェアを含むプログラム群が記憶されたメモリ５ａ、このメモリ５ａに記憶されたプログラム群に従って、後述するレポート情報受信表示処理等を実行するＣＰＵ５ｂ、このＣＰＵ５ｂから出力された情報表示用のディスプレイ５ｃ、ＣＰＵ５ｂに対する情報入力用の入力部５ｄ、ＣＰＵ５ｂと通信ネットワーク７を介した他機器との間の通信処理用の通信インタフェース（Ｉ／Ｆ）５ｅ等から構成されている。
【００４２】
専門家端末９は、ユーザ端末５と同様に、通信ネットワーク７を介して送信されてくるコンテンツを閲覧かつ動的処理を要求できるソフトウェア、および／または通信ネットワーク７を介して送信されてくる電子メールを受信できるソフトウェアを搭載したコンピュータ端末（携帯型、デスクトップ型等）である。
【００４３】
具体的には、専門家端末９は、上記ソフトウェアを含むプログラム群が記憶されたメモリ９ａ、このメモリ９ａに記憶されたプログラム群に従って後述するレポート情報受信表示処理等を実行するＣＰＵ９ｂ、このＣＰＵ９ｂから出力された情報表示用のディスプレイ９ｃ、ＣＰＵ９ｂと協調動作して、ディスプレイ９ｃに表示された情報に対して、コメントや状態ステージレベル等の各種情報を入力するための入力部９ｄ、ＣＰＵ９ｂと通信ネットワーク７を介した他機器との間の通信処理用の通信インタフェース（Ｉ／Ｆ）９ｅ等から構成されている。
【００４４】
次に、本実施形態におけるヘルスケア情報提供システム１、血糖値情報センサ端末３、ユーザ端末５、および専門家端末９それぞれの具体的な動作について説明する。
【００４５】
ユーザは、例えば定期的に血糖値情報センサ端末３を身体に装着し、例えば血糖値が上昇する所定の期間（例えば、食前から食後）において血糖値情報センサ端末３を動作させて自らの血糖値のデータを計測する（図２；ステップＳ１）。
【００４６】
血糖値情報センサ端末３は、上記計測期間内において計測された血糖値の上昇パターンを表す血糖値情報（血糖値パターン情報）に自端末３の端末ＩＤおよび／または予め記憶されたユーザＩＤを付加し、通信ネットワーク７を介してヘルスケア情報提供システム１に送信する（ステップＳ２）。
【００４７】
このとき、ヘルスケア情報提供システム１は、ヘルスケア情報提供プログラムに従って図３に示す動作を行う。
【００４８】
すなわち、ヘルスケア情報提供システム１のセンサ端末情報受付部１３は、送信されてきたヘルスケア情報提供要求を受け付け処理し（ステップＳ３）、その要求に含まれるユーザＩＤ（端末ＩＤの場合、この端末ＩＤに対応するユーザＩＤ）、受け付け処理年月日および血糖値情報を互いに関連付けて血糖値情報ＤＢ１５に保存する（ステップＳ４）。
【００４９】
このようにして、血糖値情報ＤＢ１５には、ヘルスケア情報提供システム１を利用登録した複数のユーザから得られた複数の血糖値情報が、その受け付け処理年月日および対応するユーザＩＤに関連付けられてそれぞれ保存されている。
【００５０】
このとき、ユーザが自らの糖尿病に関するヘルスケア情報（レポート情報）を受け取りたいと思った場合、ユーザは、ユーザ端末５の入力部を操作してヘルスケア情報提供要求を入力し、ユーザ端末５は、入力されたヘルスケア情報提供要求に対して自端末３の端末ＩＤおよび／または予め記憶されたユーザＩＤを付加し、通信ネットワーク７を介してヘルスケア情報提供システム１に送信する（ステップＳ５）。
【００５１】
送信されてきたヘルスケア情報提供要求に基づいて、ヘルスケア情報提供システム１は、ヘルスケア情報提供プログラムに従って図３に示す動作を行う。
【００５２】
すなわち、ヘルスケア情報提供システム１の状態ステージレベル判定部２３は、送信されてきたヘルスケア情報提供要求を受信し、受信した要求に含まれるユーザＩＤをキーとして、血糖値情報ＤＢ１５に保存された血糖値情報の中から、そのユーザＩＤに関連付けられた複数の血糖値情報、すなわち、血糖値の推移を表す血糖値パターン情報を読み出す（ステップＳ６）。
【００５３】
次いで、状態ステージレベル判定部２３は、血糖値情報ＤＢ１５に保存された血糖値情報に対応するユーザの身体情報｛年齢、性別、身長、体重、遺伝子情報（ＳＮＰ）、性別等｝を、ユーザＤＢ１１を検索することにより読み出す（ステップＳ７）。
【００５４】
続いて、状態ステージレベル判定部２３は、読み出した身体情報に類似する身体情報を有する複数の患者の過去血糖値パターン情報を、対応する状態ステージレベルと共に過去患者状態ステージ情報ＤＢ１７から読み出し（ステップＳ８）、読み出した複数の過去血糖値パターン情報の中から、ステップＳ６の処理により読み出した、ヘルスケア情報提供要求に対応するユーザの血糖値パターン情報に対して最もマッチング（整合）する過去血糖値パターン情報およびその状態ステージレベルの推移を抽出する（ステップＳ９）。
【００５５】
そして、状態ステージレベル判定部２３は、ヘルスケア情報提供要求に対応するユーザの血糖値パターン情報と、抽出された過去血糖値パターン情報およびその状態ステージレベルの推移とをそれぞれ比較することにより、ユーザの血糖値パターン情報に基づく状態ステージレベルを判定する（ステップＳ１０）。
【００５６】
状態ステージレベル判定部２３は、判定したユーザの状態ステージレベル、その血糖値パターン情報、および対応する少なくとも１つの過去血糖値パターン情報をそれぞれレポート情報作成部２５に渡す。
【００５７】
このとき、レポート情報作成部２５は、行動プラン情報ＤＢ２１から、ユーザ状態ステージレベルに対応する少なくとも１つの行動プラン情報（サマリー情報を含む）を読み出し（ステップＳ１１）、読み出した少なくとも１つの行動プラン情報を所定期間継続した場合にユーザがどの状態ステージレベルに属しているかを表す確率を、判定されたユーザの現在の状態ステージレベル、その血糖値パターン情報、および過去血糖値パターン情報に基づいて推定する（ステップＳ１２）。
【００５８】
続いて、レポート情報作成部２５は、基準レポートテーブル１９から、判定されたユーザの状態ステージレベルに対応する標準コメントデータを含む基準レポートフォーマットデータを読み出す（ステップＳ１３）。
【００５９】
そして、レポート情報作成部２５は、ヘルスケア情報要求送信元ユーザのユーザ情報（例えば、ユーザ名、ユーザＩＤ）、状態ステージレベル判定部２３から渡された対応するユーザの状態ステージレベル・血糖値パターン情報、対応する少なくとも１つの過去血糖値パターン情報、読み出した少なくとも１つの行動プラン情報、および少なくとも１つの行動プラン情報に基づいて推定された所定期間後のユーザの状態ステージレベル推定確率を、基準フォーマットデータ上にレイアウトして合成し、合成したデータを、ＷＷＷサーバあるいはメーラに基づいて専門家端末９側で閲覧可能なデータ形式（ＷＷＷ画面データ、あるいはメール画面データ）に変換し、レポート情報に対応する画面データ（レポート画面データＲ１）として作成する（ステップＳ１４）。
【００６０】
次いで、レポート情報作成部２５は、作成したレポート画面データＲ１を、通信ネットワーク７を介して専門家端末９に送信し（ステップＳ１５）、専門家端末９のＣＰＵ９ｂは、送信されてきたレポート画面データＲ１を通信Ｉ／Ｆ９ｅを介して受信し、そのデータ形式に対応するソフトウェア（ＷＷＷ画面データ形式→ＷＷＷブラウザ、メール画面データ形式→メーラ）に従って、受信したレポート画面データＲ１をディスプレイ９ｃ上に表示する（ステップＳ１６）。
【００６１】
図４は、専門家端末９のディスプレイ９ｃに表示されたレポート画面データＲ１を示す図である。図４に示すように、レポート情報Ｒ１には、基準フォーマットデータに基づいて、ユーザ名を表示するエリアＡＲ１、ユーザＩＤを表示するエリアＡＲ２、このレポート情報を閲覧しているユーザの属性（ユーザ本人／専門家）を表示するエリアＡＲ３がそれぞれ形成されている。
【００６２】
さらに、レポート画面データＲ１には、ユーザの血糖値パターン情報および過去血糖値パターン情報をそれぞれ表示するためのエリアＡＲ４、標準コメントデータを表示するためのエリアＡＲ５、専門家コメントを表示するためのエリアＡＲ６、推奨行動プランを表示するエリアＡＲ７、今後の状態ステージレベルの推移の推定情報を表示するエリアＡＲ８がそれぞれ形成されている。
【００６３】
本実施形態では、上述したヘルスケア情報提供システム１におけるステップＳ５〜Ｓ１４の処理により作成・送信されたレポート情報の具体例として、エリアＡＲ１、ＡＲ２、ＡＲ３には、合成されたユーザ情報、例えば、ユーザ名“東芝太郎”、ユーザＩＤ“３４５−１２３４５６７”、ユーザ属性“専門家”がそれぞれ表示されている。また、エリアＡＲ４には、ユーザの血糖値パターンを表すグラフＧと、このグラフＧに対する比較対象としての過去血糖値パターン情報に基づくグラフ（ベンチマーク）ＢＭとがそれぞれ表示されている。
【００６４】
エリアＡＲ５には、ステップＳ１０の処理により判定されたユーザの血糖値パターン情報に基づく状態ステージレベル（レベル１）に対応する標準コメントデータが表示されている一方、エリアＡＲ６は空欄となっている。
【００６５】
さらに、エリアＡＲ７には、ステップＳ１１の処理により読み出された２つの推奨行動プランＡおよびＢがそれぞれ表示されており、推奨行動プランＡ側に形成されたグラフィカルなボタンＬ１をクリックすることにより、リンクされた推奨行動プランＡの詳細な内容を表す情報｛運動（例えば一週間毎の内容、回数）、食事（例えば１日毎のメニュー）、睡眠時間、投薬（１日あたりの回数、時期等）等｝および患者３００人のサマリー情報がそれぞれ表示されるようになっている。推奨行動プランＢ側に形成されたグラフィカルなボタンＬ２をクリックした場合も同様に、リンクされた推奨行動プランＢの詳細な内容を表す情報および患者２００人のサマリー情報がそれぞれ表示されるようになっている。
【００６６】
そして、エリアＡＲ８には、ステップＳ１２の処理により推定された、行動プランＡに基づく所定期間（３年）後のユーザの状態ステージレベルの推定確率が“レベル１である確率が８０％”、および行動プランＢに基づく所定期間（３年）後のユーザの状態ステージレベルの推定確率が“レベル１である確率が７０％”としてそれぞれ表示されている。
【００６７】
このとき、専門家は、専門家端末９のディスプレイ９ｃに表示されたレポート情報を閲覧し、特にエリアＡＲ４に表示されたユーザの血糖値パターンを表すグラフＧおよび推定された状態ステージレベルと、対応する過去血糖値パターン情報に基づくベンチマークＢＭとを専門的見地から比較して、推定された状態ステージレベルが正確か否かを確認し、もし不正確な場合には、エリアＡＲ５内に表示された状態ステージレベルを正確な値に変更する。
【００６８】
また、専門家は、上記比較結果に基づいて、特にユーザに対して、今後の生活指針や治療方針等のヘルスケアアドバイス（専門家コメント）をテキストデータとして入力部９ｄを介してＣＰＵ９ｂに入力する。なお、本実施形態においては、ユーザの状態ステージレベルがレベル１であるため、専門家コメントとしては“特にありません”となっている。
【００６９】
専門家端末９のＣＰＵ９ｂは、入力された専門家コメント（推定された状態ステージレベルが変更された場合は、そのステージレベルを含む）を表す専門家コメント情報（テキスト情報）を含むレポート画面データＲ２を通信Ｉ／Ｆ９ｅおよび通信ネットワーク７を介してヘルスケア情報提供システム１に送信する（ステップＳ１７）。
【００７０】
ヘルスケア情報提供システム１のレポート情報作成部２５は、送信されてきたレポート画面データＲ２を受信し、受信したレポート画面データＲ２におけるエリアＡＲ４内に入力された専門家コメント情報を、対応するユーザの血糖値パターン情報および状態ステージレベルと関連付け、年月日を付加して過去患者状態ステージ情報ＤＢ１７に格納する（ステップＳ１８）。なお、状態ステージレベルが変更されていた場合には、その変更した状態ステージレベルと対応する血糖値パターン情報とを互いに関連付け、年月日を付加して過去患者状態ステージＤＢ１７に格納する。
【００７１】
次いで、レポート情報作成部２５は、レポート画面データＲ２を、ヘルスケア情報提供要求送信元のユーザ端末５に対して通信ネットワーク７を介して送信する（ステップＳ１９）。
【００７２】
ユーザ端末５のＣＰＵ５ｂは、送信されてきたレポート画面データＲ２を通信Ｉ／Ｆ５ｅを介して受信し、そのデータ形式に対応するソフトウェア（ＷＷＷ画面データ形式→ＷＷＷブラウザ、メール画面データ形式→メーラ）に従って、受信したレポート画面データＲ２をディスプレイ５ｃ上に表示する（ステップＳ２０）。
【００７３】
図５は、ユーザ端末５のディスプレイ５ｃに表示されたレポート画面データＲ２を示す図である。図５に示すように、レポート画面データＲ２には、レポート画面データＲ１に加えて、エリアＡＲ６に専門家のコメントが表示されている。
【００７４】
この結果、ユーザは、ディスプレイ５ｃに表示されたレポート画面データＲ２を閲覧し、そのエリアＡＲ４に表示されたグラフＧおよびＢＭをそれぞれ比較することにより、自らの血糖値パターン情報の時間的な推移を確認するとともに、自分と身体情報が類似した患者の血糖値パターン、すなわち、糖尿病が顕在化している患者の血糖値パターンを自ら認識することができる。
【００７５】
また、ユーザは、エリアＡＲ５およびＡＲ６に注目することにより、自らの糖尿病に対する状態ステージレベルを把握することができ、かつ糖尿病に関する専門家の専門的見地からのコメントを含むヘルスケア用のコメントを受けることができる。
【００７６】
さらに、ユーザは、エリアＡＲ７に注目することにより、糖尿病の予防あるいは進行を抑制するために推奨される行動パターン｛運動（例えば一週間毎の内容、回数）、食事（例えば１日毎のメニュー）、睡眠時間、投薬（１日あたりの回数、時期等）等｝を学習することができる。
【００７７】
そして、ユーザは、エリアＡＲ８を注視することにより、それぞれの推奨行動プランに従って生活した場合の所定期間経過後（例えば３年後）の自らの糖尿病に対する状態ステージのレベルの推定結果を容易に把握することができる。
【００７８】
以上述べたように、本実施形態によれば、ユーザから取得された血糖値パターン情報と過去の糖尿病患者の過去血糖値パターン情報とからユーザの状態ステージレベルを自動的、すなわち、専門家の分析作業を介することなく推定することができ、推定した状態ステージレベルを含むヘルスケア用レポート情報をユーザに対して提供することができる。
【００７９】
この結果、専門家の血糖値パターン情報分析作業に伴う人的コストを低減してユーザのヘルスケア情報提供システム１の利用料を低く維持することができ、ヘルスケア情報提供システム１の実用性を向上させることができる。
【００８０】
また、本実施形態によれば、ユーザに対するヘルスケア用レポート情報として、ユーザの現在の血糖値パターン情報や推定された状態ステージレベルに基づく専門家からのコメント（アドバイス）をユーザに対して提供することができる。このため、ユーザは、実際に専門家に対して直接コンタクトをとることなく、自らの血糖値パターン情報に基づく専門家からの専門的なアドバイスを何時でも手軽に受けることができる。
【００８１】
一方、専門家側においても、自ら血糖値パターン情報や過去の患者の血糖値パターン情報等を入手して比較分析する必要がなく、専門家側の作業負担を、エリアＡＲ４に表示されたグラフＧおよびＢＭの確認作業、およびエリアＡＲ６に対する専門的見地からのコメントの入力作業に軽減することができる。
【００８２】
さらに、本実施形態によれば、ヘルスケアレポート情報として、ユーザの状態ステージレベルに適した今後の推奨行動プランおよびその推奨行動プランで所定期間行動した場合において所定期間経過後に推移する可能性の高い状態ステージレベルの確率をそれぞれユーザに提供することができる。
【００８３】
このため、ユーザは、自らの状態ステージレベルに適した行動プランを容易に把握して実践することが可能になり、また、自らの状態ステージレベルの推移に対する推定結果を容易に把握することができる。
【００８４】
この結果、ヘルスケア情報提供システム１を利用するユーザは、把握した行動プランを日頃から実践することにより、状態ステージレベル１のユーザにおいては、糖尿病を予防することが可能になり、また実際に糖尿病を患っているユーザにおいては、その糖尿病の進行を抑制することが可能になる。
【００８５】
また、本実施形態では、ユーザの血糖値パターン情報および状態ステージレベル等に基づいて専門家から入力された専門家コメント情報をヘルスケア情報提供システム１側の過去患者状態ステージＤＢ１７に対し、対応する血糖値パターン情報および状態ステージレベルに関連付けて保存することができる。このため、類似した症状（血糖値パターン情報）を有するユーザに対する標準コメントデータ作成の際に利用することができ、より効果的なヘルスケア用コメントをユーザに提供することが可能になる。
【００８６】
さらに、本実施形態では、過去患者状態ステージ情報ＤＢ１７を複数の医療施設それぞれの端末Ｔ１〜Ｔｎからアクセス自在に構成したため、最新の患者の血糖値パターン情報を利用することが可能になる。
【００８７】
なお、本実施形態においては、ユーザに対して提供するヘルスケア用レポート情報をＷＷＷ画面データあるいはメール画面データとしたが、本発明はこの構成に限定されるものではなく、ユーザ端末および専門家端末側で閲覧かつ情報入力できる形態の情報であればよい。
【００８８】
また、本実施形態においては、バイタル情報としてユーザの血糖値の上昇パターンを表す血糖値パターン情報を用いてユーザの糖尿病に関するヘルスケア情報を作成してユーザに提供したが、本発明はこの構成に限定されるものではない。
【００８９】
例えば、バイタル情報として体重および脂肪率を用いて肥満に関するヘルスケア情報を提供することも可能であり、バイタル情報として血圧（収縮期血圧、拡張期血圧）を用いて高血圧症に関するヘルスケア情報を提供することも可能である。また、バイタル情報として心電図を用いて心臓疾患に関するヘルスケア情報を提供することも可能であり、バイタル情報として尿酸値等の尿検査により得られるデータを用いて循環器疾患および／または痛風に関するヘルスケア情報を提供することも可能である。
【００９０】
例えば高血圧症の場合、状態ステージレベルは、収縮期血圧が１２０ｍｍＨＧ未満および拡張期血圧が８０ｍｍＨＧ未満をステージレベル１（至適血圧）、収縮期血圧が１２０−１２９ｍｍＨＧおよび拡張期血圧が８０−８４ｍｍＨｇをステージレベル２（正常血圧）、収縮期血圧が１３０−１３９ｍｍＨＧあるいは拡張期血圧が８５−８９ｍｍＨｇをステージレベル３（正常高値）、収縮期血圧が１４０−１５９ｍｍＨＧあるいは拡張期血圧が９０−９９ｍｍＨｇをステージレベル４（高血圧軽症）、収縮期血圧が１６０−１７９ｍｍＨＧあるいは拡張期血圧が１００−１０９ｍｍＨｇをステージレベル５（高血圧中等症）、収縮期血圧が１８０ｍｍＨＧ以上あるいは拡張期血圧が１１０ｍｍＨｇ以上をステージレベル６（高血圧重症）としてそれぞれ設定される。
【００９１】
なお、図１に示すヘルスケア情報システム１のセンサ端末情報受付部１３、状態ステージレベル判定部２３およびレポート情報作成部２５を、それぞれハードワイヤードロジック回路により構成することも可能である。
【００９２】
また、本発明は、上述した実施の形態に限定されるものではなく、本発明に属する範囲内において、上記実施の形態を様々に変形して実施することが可能である。
【図面の簡単な説明】
【００９３】
【図１】本発明の実施の形態に係るヘルスケア情報提供システムの概略構成を示す図。
【図２】図１に示す過去患者状態ステージ情報ＤＢの共有構成を示すための図。
【図３】図１に示すヘルスケア情報提供システム、ユーザ端末、および専門家端末の処理の一例を示す概略フローチャート。
【図４】図１に示す専門家端末のディスプレイに表示されたレポート画面データの一例を示す図。
【図５】図１に示すユーザ端末のディスプレイに表示されたレポート画面データの一例を示す図。
【符号の説明】
【００９４】
１  ヘルスケア情報提供システム
３  血糖値情報センサ端末
５  ユーザ端末
７  通信ネットワーク
９  専門家端末
１１  ユーザデータベース
１３  センサ端末情報受付部
１５  血糖値情報データベース
１７  過去患者状態ステージ情報データベース
１９  基準レポートテーブル
２１  行動プラン情報データベース
２３  状態ステージレベル判定部
２５  レポート情報作成部
【図１】
2005287837.tif 000003
【図２】
2005287837.tif 000004
【図３】
2005287837.tif 000005
【図４】
2005287837.tif 000006
【図５】
2005287837.tif 000007